【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
ワイヤレスデバイスを動作させる方法であって、
複数の第１のシンボル中でユーザデータを送信することと、ここにおいて、前記複数の第１のシンボルの各第１のシンボルが、データシンボルであり、前記複数の第１のシンボルの各第１のシンボルが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
複数の第２のシンボル中でロングトレーニングフィールド（ＬＴＦ）を送信することと、ここにおいて、前記複数の第２のシンボルの各第２のシンボルが、ＬＴＦシンボルであり、前記複数の第２のシンボルの各第２のシンボルが、前記第１のシンボル持続時間より短い第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を備える、方法。
【請求項２】
構成情報に基づいて、前記複数の第１のシンボルに関連付けられた前記第１のトーンプランを決定することと、
前記構成情報に基づいて、前記複数の第２のシンボルに関連付けられた前記第２のトーンプランを決定することと
をさらに備える、請求項１に記載の方法。
【請求項３】
前記第２の有効な開始トーンインデックスが前記第１の有効な開始トーンインデックスの関数であり、前記第２の有効な終了トーンインデックスが前記第１の有効な終了トーンインデックスの関数である、請求項１に記載の方法。
【請求項４】
ＤＣトーンの前記第１のセットが、トーンインデックス−１、０、および１に位置する３つのＤＣトーンを含み、ＤＣトーンの前記第２のセットが、トーンインデックス０に位置する１つのＤＣトーンを含む、請求項１に記載の方法。
【請求項５】
ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−１、０、および１に位置する３つのＤＣトーン、またはトーンインデックス０に位置する１つのＤＣトーンを含む、請求項１に記載の方法。
【請求項６】
ＤＣトーンの前記第１のセットが、トーンインデックス−３、−２、−１、０、１、２、および３に位置する７つのＤＣトーンを含み、ＤＣトーンの前記第２のセットが、トーンインデックス−１、０、および１に位置する３つのＤＣトーン、またはトーンインデックス０における１つのＤＣトーンを含む、請求項１に記載の方法。
【請求項７】
ＤＣトーンの前記第１のセットが、トーンインデックス−１、０、および１に位置する３つのＤＣトーンを含み、ＤＣトーンの前記第２のセットが、トーンインデックス−１、０、および１に位置する３つのＤＣトーンを含む、請求項１に記載の方法。
【請求項８】
ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、請求項１に記載の方法。
【請求項９】
ＤＣトーンの前記第１のセットが、トーンインデックス−３、−２、−１、０、１、２、および３に位置する７つのＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、請求項１に記載の方法。
【請求項１０】
前記第１のシンボル持続時間が前記第２のシンボル持続時間よりも２倍長く、前記第１の周波数帯域幅および前記第２の周波数帯域幅が２０メガヘルツであり、前記第１の有効な開始トーンインデックスが−１２２であり、前記第１の有効な終了トーンインデックスが１２２であり、前記第２の有効な開始トーンインデックスが−６１であり、前記第２の有効な終了トーンインデックスが６１である、請求項１に記載の方法。
【請求項１１】
前記第１のシンボル持続時間が前記第２のシンボル持続時間よりも２倍長く、前記第１の周波数帯域幅および前記第２の周波数帯域幅が４０メガヘルツであり、前記第１の有効な開始トーンインデックスが−２５０であり、前記第１の有効な終了トーンインデックスが２５０であり、前記第２の有効な開始トーンインデックスが−１２５であり、前記第２の有効な終了トーンインデックスが１２５である、請求項１に記載の方法。
【請求項１２】
前記第１のシンボル持続時間が前記第２のシンボル持続時間よりも２倍長く、前記第１の周波数帯域幅および前記第２の周波数帯域幅が８０メガヘルツであり、前記第１の有効な開始トーンインデックスが−５０６であり、前記第１の有効な終了トーンインデックスが５０６であり、前記第２の有効な開始トーンインデックスが−２５３であり、前記第２の有効な終了トーンインデックスが２５３である、請求項１に記載の方法。
【請求項１３】
前記ＤＣトーンがゼロ振幅を有し、非ＤＣトーンが、ガードトーンと、データトーンと、パイロットトーンとを含み、ここにおいて、前記ガードトーンがゼロ振幅を有し、前記データトーンが、送信されるべきデータを含み、パイロットトーンが、チャネル推定のための既知の情報を含む、請求項１に記載の方法。
【請求項１４】
ＬＴＦシンボルオーバーヘッドを低減するために、各それぞれのＬＴＦシンボル内の複数のトーンが、グループ数に従ってグループ化される、請求項１に記載の方法。
【請求項１５】
ＬＴＦシンボルオーバーヘッドを低減するために、各それぞれのＬＴＦシンボル内の前記第２のシンボル持続時間および情報が圧縮される、請求項１に記載の方法。
【請求項１６】
各それぞれのＬＴＦシンボルの前記第２の有効な開始トーンインデックスおよび前記第２の有効な終了トーンインデックスが、第３の有効な開始トーンインデックスまたは第３の有効な終了トーンインデックスのうちの少なくとも１つに基づいて圧縮される、請求項１５に記載の方法。
【請求項１７】
前記複数の第２のシンボル中で前記ＬＴＦを送信することが、前記複数の第２のシンボルに関連付けられたトーンインデックスのアップシフトされたサブセット中で前記ＬＴＦを送信することを含む、請求項１に記載の方法。
【請求項１８】
前記複数の第２のシンボル中で前記ＬＴＦを送信することが、前記複数の第２のシンボルに関連付けられたトーンインデックスのダウンシフトされたサブセット中で前記ＬＴＦを送信することを含む、請求項１に記載の方法。
【請求項１９】
ワイヤレス通信のための装置であって、
複数の第１のシンボル中でユーザデータを送信するための手段と、ここにおいて、前記複数の第１のシンボルの各第１のシンボルが、データシンボルであり、前記複数の第１のシンボルの各第１のシンボルが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
複数の第２のシンボル中でロングトレーニングフィールド（ＬＴＦ）を送信するための手段と、ここにおいて、前記複数の第２のシンボルの各第２のシンボルが、ＬＴＦシンボルであり、前記複数の第２のシンボルの各第２のシンボルが、前記第１のシンボル持続時間より短い第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を備える、装置。
【請求項２０】
前記第２の有効な開始トーンインデックスが前記第１の有効な開始トーンインデックスの関数であり、前記第２の有効な終了トーンインデックスが前記第１の有効な終了トーンインデックスの関数である、請求項１９に記載の装置。
【請求項２１】
ワイヤレス通信のための装置であって、
メモリと、
前記メモリに結合された少なくとも１つのプロセッサと
を備え、前記少なくとも１つのプロセッサは、
複数の第１のシンボル中でユーザデータを送信することと、ここにおいて、前記複数の第１のシンボルの各第１のシンボルが、データシンボルであり、前記複数の第１のシンボルの各第１のシンボルが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
複数の第２のシンボル中でロングトレーニングフィールド（ＬＴＦ）を送信することと、ここにおいて、前記複数の第２のシンボルの各第２のシンボルが、ＬＴＦシンボルであり、前記複数の第２のシンボルの各第２のシンボルが、前記第１のシンボル持続時間より短い第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を行うように構成された、
装置。
【請求項２２】
前記少なくとも１つのプロセッサが、
構成情報に基づいて、前記複数の第１のシンボルに関連付けられた前記第１のトーンプランを決定することと、
前記構成情報に基づいて、前記複数の第２のシンボルに関連付けられた前記第２のトーンプランを決定することと
を行うようにさらに構成された、請求項２１に記載の装置。
【請求項２３】
前記第２の有効な開始トーンインデックスが前記第１の有効な開始トーンインデックスの関数であり、前記第２の有効な終了トーンインデックスが前記第１の有効な終了トーンインデックスの関数である、請求項２１に記載の装置。
【請求項２４】
ＤＣトーンの前記第１のセットが、トーンインデックス−１、０、および１に位置する３つのＤＣトーンを含み、ＤＣトーンの前記第２のセットが、トーンインデックス０に位置する１つのＤＣトーンを含む、請求項２１に記載の装置。
【請求項２５】
ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−１、０、および１に位置する３つのＤＣトーン、またはトーンインデックス０に位置する１つのＤＣトーンを含む、請求項２１に記載の装置。
【請求項２６】
ＤＣトーンの前記第１のセットが、トーンインデックス−３、−２、−１、０、１、２、および３に位置する７つのＤＣトーンを含み、ＤＣトーンの前記第２のセットが、トーンインデックス−１、０、および１に位置する３つのＤＣトーン、またはトーンインデックス０における１つのＤＣトーンを含む、請求項２１に記載の装置。
【請求項２７】
ＤＣトーンの前記第１のセットが、トーンインデックス−１、０、および１に位置する３つのＤＣトーンを含み、ＤＣトーンの前記第２のセットが、トーンインデックス−１、０、および１に位置する３つのＤＣトーンを含む、請求項２１に記載の装置。
【請求項２８】
ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、請求項２１に記載の装置。
【請求項２９】
ＤＣトーンの前記第１のセットが、トーンインデックス−３、−２、−１、０、１、２、および３に位置する７つのＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、請求項２１に記載の装置。
【請求項３０】
前記第１のシンボル持続時間が前記第２のシンボル持続時間よりも２倍長く、前記第１の周波数帯域幅および前記第２の周波数帯域幅が２０メガヘルツであり、前記第１の有効な開始トーンインデックスが−１２２であり、前記第１の有効な終了トーンインデックスが１２２であり、前記第２の有効な開始トーンインデックスが−６１であり、前記第２の有効な終了トーンインデックスが６１である、請求項２１に記載の装置。
【請求項３１】
前記第１のシンボル持続時間が前記第２のシンボル持続時間よりも２倍長く、前記第１の周波数帯域幅および前記第２の周波数帯域幅が４０メガヘルツであり、前記第１の有効な開始トーンインデックスが−２５０であり、前記第１の有効な終了トーンインデックスが２５０であり、前記第２の有効な開始トーンインデックスが−１２５であり、前記第２の有効な終了トーンインデックスが１２５である、請求項２１に記載の装置。
【請求項３２】
前記第１のシンボル持続時間が前記第２のシンボル持続時間よりも２倍長く、前記第１の周波数帯域幅および前記第２の周波数帯域幅が８０メガヘルツであり、前記第１の有効な開始トーンインデックスが−５０６であり、前記第１の有効な終了トーンインデックスが５０６であり、前記第２の有効な開始トーンインデックスが−２５３であり、前記第２の有効な終了トーンインデックスが２５３である、請求項２１に記載の装置。
【請求項３３】
コードを記憶している非一時的なコンピュータ可読媒体であって、前記コードは、実行されると、ワイヤレスデバイスの少なくとも１つのプロセッサに、
複数の第１のシンボル中でユーザデータを送信することと、ここにおいて、前記複数の第１のシンボルの各第１のシンボルが、データシンボルであり、前記複数の第１のシンボルの各第１のシンボルが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
複数の第２のシンボル中でロングトレーニングフィールド（ＬＴＦ）を送信することと、ここにおいて、前記複数の第２のシンボルの各第２のシンボルが、ＬＴＦシンボルであり、前記複数の第２のシンボルの各第２のシンボルが、前記第１のシンボル持続時間より短い第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を行わせる、非一時的なコンピュータ可読媒体。